(57)【要約】  【課題】  簡単な構成で、小径のディスクであっても確実にセンタリングしてローディング可能な、ディスクローディング装置を提供する。  【解決手段】  従来のディスクストッパ６の右側部分を延長し、その先端部であって元の右端部に設けたボス６ｂの更に右前側に、ディスクストッパ６の下面より下方へ延びる略円柱状のボス６ｄを設けた構成としている。このボス６ｄは、寸法線Ａで示すボス６ｄとシャーシ４の右側面との距離が、小径ディスクの半径より小さくなるように、即ち４ｃｍ未満となるようにしている。この構成により、ディスク２の中心は必ずボス６ｄの左側に位置することとなるので、ディスクストッパ６のボスとシャーシ４の右側面との間にディスク２が填り込んでしまうようなことがなくなり、またボス６ｄによりディスク２が内側へ案内されるようになり、スムーズなセンタリング及びチャッキングが可能となる。【選択図】      図１
2006302377.tif 000002
【特許請求の範囲】
【請求項１】
挿入口より挿入されたディスクをシーソー様に回動可能なフラップと略鼓形状に形成さ
れてなるローラとの間で挟持し、前記ローラの回転により前記ディスクをセンタリングし
つつターンテーブルまで搬送するディスクローディング装置であって、
前記ターンテーブルより奥側に位置するディスクストッパを有し、該ディスクストッパ
の左右両端に設けたボスの間に前記ディスクが嵌合することにより、該ディスクの中心孔
が前記ターンテーブルの近傍に位置決めされるようにしてなるディスクローディング装置
において、
前記ディスクストッパの左端又は右端を延長してその先端に追加ボスを設け、該追加ボ
スにより前記ディスクをシャーシの内側へ案内するようにしてなり、前記追加ボスは、前
記挿入されたディスクが小径か大径かを判別するディスクセレクタとは左右方向で反対側
の位置に設けられ、また大径ディスクがセンタリングにより前記ディスクストッパと嵌合
した状態で、該大径ディスクに干渉しない位置関係となっており、さらに前記追加ボスと
該追加ボスが設けられている側のシャーシ側面との距離は、小径ディスクの半径よりも小
さいことを特徴とするディスクローディング装置。
【請求項２】
挿入口より挿入されたディスクをフラップとローラとの間で挟持し、前記ローラの回転
により前記ディスクを搬送するディスクローディング装置であって、
ディスクストッパを有し、該ディスクストッパの左右両端に設けたボスの間に前記ディ
スクが嵌合することにより、該ディスクの中心孔が前記ターンテーブルの近傍に位置決め
されるようにしてなるディスクローディング装置において、
前記ディスクストッパの左端及び／又は右端を延長してその先端に追加ボスを設け、該
追加ボスにより前記ディスクをシャーシの内側へ案内するようにしてなることを特徴とす
るディスクローディング装置。
【請求項３】
前記追加ボスは、前記挿入されたディスクが小径か大径かを判別するディスクセレクタ
とは左右方向で反対側の位置に設けられていることを特徴とする請求項２に記載のディス
クローディング装置。
【請求項４】
前記追加ボスは、大径ディスクがセンタリングにより前記ディスクストッパと嵌合した
状態で、該大径ディスクに干渉しない位置関係となっていることを特徴とする請求項２又
は請求項３に記載のディスクローディング装置。
【請求項５】
前記追加ボスと該追加ボスが設けられている側のシャーシ側面との距離は、小径ディス
クの半径よりも小さいことを特徴とする請求項２〜請求項４のいずれかに記載のディスク
ローディング装置。
【発明の詳細な説明】
【技術分野】
【０００１】
本発明は、ＣＤ，ＤＶＤ等のディスクを保持して当該ディスクをターンテーブルに載置
する、ディスクローディング装置に関するものである。
【背景技術】
【０００２】
従来より、このようなディスクに対して記録或いは再生を行うディスクプレーヤとして
、例えばケース外面に設けられたディスク挿入口からディスクを挿入することにより、こ
のディスクを所定位置に自動で搬入する形式の、いわゆるスロットインモデルのディスク
ローディング装置を備えたディスクプレーヤが知られている。
【０００３】
このようなディスクプレーヤは、上記ディスクローディング装置によって、前記挿入口
に挿入されたディスクを、ターンテーブル上の所定位置に移動させ、クランパーによりこ
のディスクをターンテーブル上に固定保持するようになっている。そして、ターンテーブ
ルを回転駆動することによりディスクを回転させ、回転するディスクの記録面に対してピ
ックアップにより信号を書き込み或いは読み出す構成としている。
【０００４】
図３は、従来のディスクローディング装置の概略平面図である。同図に示すように、本
例のディスクローディング装置においては、シャーシ４の前部に図示しないフラップが、
シーソー様に前後に回動自在に取り付けられ、またターンテーブル５が中心付近に、及び
略長板状のディスクストッパ６がその奥側に配設されている。ディスクストッパ６の左右
両端には、それぞれ下面より下方へ延びる略円柱状のボス６ａ，６ｂが設けられている。
また、ディスクストッパ６の中央には、ディスクストッパ６が前後にスライドする際のガ
イドとなるガイドリブ６ｃが設けられている。
【０００５】
ここでは直径８ｃｍの小径ディスクが挿入された場合の動作を説明する。同図に示すよ
うに、小径のディスク２がシャーシ４の前部に形成される挿入口４ａから挿入されると、
図示しないフラップとその下側に設けたローラ３との間に、ディスク２が挟み込まれ、こ
の状態でローラ３が回転すると、ディスク２がシャーシ４の内部へと引き込まれる。なお
、同図では小径のディスク２が挿入口４ａの右寄りの位置に挿入された場合を示している
。
【０００６】
ここで、上記ローラ３はシャーシ４の前部で左右方向に延在しており、直径１２ｃｍの
大径ディスクも搬送できるようになっている。そして、比較的径が小さい中央部分から左
右両側に向かって、テーパ状に漸次径が大きくなるいわゆる略鼓形状に形成されている。
この形状により、ローラ３の回転により搬送されるディスク２は、搬送方向に垂直な方向
に関して、内側に向かう力を受けることになる。従ってディスク２は、挿入時に左或いは
右にずれていたとしても、ローラ３による搬送の際に、ローラ３の形状に基づいてセンタ
リングが行われ得る。
【０００７】
さて、挿入口４ａの右寄りの位置に挿入されたディスク２は、シャーシ４内部に搬送さ
れ、ディスクストッパ６の右端部に設けたボス６ｂに接触する。この状態で、ディスク２
はセンタリングに伴う回転を開始する。続いて、ディスク２は上記内側に搬送され、ディ
スクストッパ６と嵌合してセンタリングが終了する。さらに、ディスク２はシャーシ４奥
側に搬送されるので、これによりディスクストッパ６が押し込まれ、チャッキング開始の
トリガーがかかる。
【０００８】
このとき、ディスク２の中心孔がターンテーブル５の真上に位置しているので、図示し
ないクランパーが下降することにより、ターンテーブル５との間でディスク２が挟み込ま
れ、チャッキングが終了する。なお、ディスク２が挿入口４ａの左寄りの位置に挿入され
た場合においても、ディスク２の動作が左右逆となるのみであり、同様にセンタリング及
びチャッキングが行われる。
【０００９】
以上のようにして、従来のいわゆるスロットインモデルのディスクローディング装置に
おいては、小径のディスクが挿入時に左或いは右にずれていたとしても、センタリングが
行われてスムーズにチャッキングされる。また、大径のディスクの場合はなおさら問題な
くローディング動作を行うことができる。
【００１０】
その他、ディスク再生装置に備えられる位置決め機構として、左右一対の回動自在な位
置決めアームにより、ディスクを挟むようにしてディスクの位置決めを行うものが、特許
文献１に開示されている。このような位置決めアームの回動機構としては、例えばリンク
機構やギア歯機構が採用されている。
【００１１】
また、ディスクの挿入口の内側で、ディスク駆動部に向かうにしたがってその間隔が狭
くなりそれぞれの間隔が大径ディスクの直径よりも狭く小径ディスクの直径よりも広く配
置された複数組のピンと、それぞれのピンが支持され且つピン間の間隔が広がる方向へ移
動自在な選択部材と、前記ピンの間隔が狭まる方向へ各選択部材を付勢する付勢部材とが
設けられたものが、特許文献２に開示されている。
【特許文献１】特開２００３−１５１１９４号公報
【特許文献２】特開平１１−２１３５０５号公報
【発明の開示】
【発明が解決しようとする課題】
【００１２】
しかしながら、上記図３に示したような従来の構成では、小径のディスク２が特に極端
に右寄りに挿入されたとき等に、チャッキングミスが生じる場合がある。例えば、同図の
二点鎖線で示すように、ディスクストッパ６の右端部に設けたボス６ｂとシャーシ４の右
側面との間に、ディスク２が填り込んでしまうことがあり、こうなると十分なセンタリン
グが行われないまま、ディスク２はシャーシ４奥側に搬送され、これによりディスクスト
ッパ６が押し込まれて、チャッキング開始のトリガーがかかる。
【００１３】
このとき、ディスク２の中心孔がターンテーブル５の真上から外れて位置しているので
、図示しないクランパーが下降しても、ターンテーブル５との間でディスク２が正確に挟
み込まれず、チャッキングミスとなる。その他、上記特許文献１或いは２に記載のような
構成では、いずれの構造も複雑且つ大掛かりであり、コストアップとなる上に、製造時や
使用時におけるトラブルの要因となるおそれがある。
【００１４】
本発明は、以上のような問題点に鑑み、簡単な構成で、小径のディスクであっても確実
にセンタリングしてローディング可能な、ディスクローディング装置を提供することを目
的とする。
【課題を解決するための手段】
【００１５】
上記目的を達成するために、本発明では、挿入口より挿入されたディスクをフラップと
ローラとの間で挟持し、前記ローラの回転により前記ディスクを搬送するディスクローデ
ィング装置であって、ディスクストッパを有し、該ディスクストッパの左右両端に設けた
ボスの間に前記ディスクが嵌合することにより、該ディスクの中心孔が前記ターンテーブ
ルの近傍に位置決めされるようにしてなるディスクローディング装置において、前記ディ
スクストッパの左端及び／又は右端を延長してその先端に追加ボスを設け、該追加ボスに
より前記ディスクをシャーシの内側へ案内するようにしてなることを特徴とする。
【００１６】
また、前記追加ボスは、前記挿入されたディスクが小径か大径かを判別するディスクセ
レクタとは左右方向で反対側の位置に設けられていることを特徴とする。また、前記追加
ボスは、大径ディスクがセンタリングにより前記ディスクストッパと嵌合した状態で、該
大径ディスクに干渉しない位置関係となっていることを特徴とする。また、前記追加ボス
と該追加ボスが設けられている側のシャーシ側面との距離は、小径ディスクの半径よりも
小さいことを特徴とする。
【発明の効果】
【００１７】
本発明によれば、簡単な構成で、小径のディスクであっても確実にセンタリングしてロ
ーディング可能な、ディスクローディング装置を提供することができる。
【００１８】
具体的には、ディスクストッパの左端及び／又は右端を延長してその先端に追加ボスを
設け、該追加ボスにより前記ディスクをシャーシの内側へ案内することにより、スムーズ
なセンタリング及びチャッキングが可能となる。
【発明を実施するための最良の形態】
【００１９】
以下、本発明の実施の形態について、図面を参照しながら説明する。なお、上記従来の
技術と同様の機能を有する部分には同一の符号を付して、詳細な説明を適宜省略する。
【実施例１】
【００２０】
図１は、本発明の実施例１に係るディスクローディング装置の概略平面図である。また
図２は、本ディスクローディング装置におけるディスクストッパを示す図であり、同図（
ａ）は下面図、同図（ｂ）は背面図、同図（ｃ）は平面図である。本実施例では、各図に
示すように、従来のディスクストッパ６の右側部分を延長し、その先端部であって上記元
の右端部に設けたボス６ｂの更に右前側に、ディスクストッパ６の下面より下方へ延びる
略円柱状のボス６ｄを設けた構成としている。このボス６ｄは、図１の寸法線Ａで示すボ
ス６ｄとシャーシ４の右側面との距離が、小径ディスクの半径より小さくなるように、即
ち４ｃｍ未満となるようにしている。
【００２１】
この構成により、ディスク２の中心は必ずボス６ｄの左側に位置することとなるので、
ディスクストッパ６のボスとシャーシ４の右側面との間にディスク２が填り込んでしまう
ようなことがなくなり、またボス６ｄによりディスク２が内側へ案内されるようになり、
スムーズなセンタリング及びチャッキングが可能となる。また、このボス６ｄの位置は、
直径１２ｃｍの大径ディスクが挿入され、上記ボス６ａ，６ｂと接触した状態、即ちセン
タリングによりディスクストッパ６と嵌合した状態で、ボス６ｄが大径ディスクに干渉し
ない位置関係となっている。従って、ボス６ｄが大径ディスクのセンタリング及びチャッ
キングに悪影響を及ぼすことはない。
【００２２】
なお、ディスクストッパ６の左側部分も延長し、ここにもボスを追加する構成としても
良いが、左側にボスを追加しなくても、ディスクストッパ６の左端部に設けたボス６ａと
シャーシ４の左側面との間に、ディスク２が填り込んでしまうというようなことは殆どな
いと考えられる。なぜならば、図１に示すように、シャーシ４の左部にはアーム状のディ
スクセレクタ７が前後に延在しており、小径のディスク２が特に極端に左寄りに挿入され
たとしても、このディスクセレクタ７により中央寄りに押し戻されるからである。
【００２３】
具体的には、ディスクセレクタ７の前端部にその下面より下方へ延びる略円柱状のボス
７ａが設けられており、挿入されたディスクによりボス７ａが押圧されるときの状態で、
そのディスクが小径であるか大径であるかをディスクセレクタ７により判別する構成とな
っている。つまり、挿入されたディスクが小径のときは、ボス７ａに接触せずこれを押圧
しないか、接触し押圧してもすぐにディスクセレクタ７により中央寄りに押し戻されるが
、挿入されたディスクが大径のときは、ボス７ａを必ず押圧し、しかもディスクセレクタ
７により押し戻されることは殆どないので、これによりディスク径が判別される。
【００２４】
従って、従来のディスクストッパ６にボスを追加する場合は、ディスクセレクタ７の左
右方向で反対側となる位置に設ければ良いことになる。ちなみに、挿入されたディスクに
よりボス７ａが押圧されるときの状態から、ディスクセレクタ７によりディスク径が判別
されると、これに伴い、ディスクストッパ６が挿入されたディスクにより押し込まれて後
退するときの位置が規定される。そして、この位置において各径のディスクがボス６ａ，
６ｂに接触した状態、即ちセンタリングによりディスクストッパ６と嵌合した状態では、
そのディスクの中心孔がターンテーブル５の近傍に位置するようになっている。
【図面の簡単な説明】
【００２５】
【図１】本発明の実施例１に係るディスクローディング装置の概略平面図。
【図２】本ディスクローディング装置におけるディスクストッパを示す図。
【図３】従来のディスクローディング装置の概略平面図。
【符号の説明】
【００２６】
２    ディスク
３    ローラ
４    シャーシ
４ａ    挿入口
５    ターンテーブル
６    ディスクストッパ
６ａ，６ｂ，６ｄ    ボス
６ｃ    ガイドリブ
７    ディスクセレクタ
７ａ    ボス
【図１】
2006302377.tif 000003
【図２】
2006302377.tif 000004
【図３】
2006302377.tif 000005